(57)【要約】【課題】安価であり、製品取り出し時の汚染を防止するとともに、真空雰囲気においても製品を破損することなく収納可能な収納容器を提供すること。【解決手段】光学素子Ｄを収容する収容部１１０が設けられている下側ケース１０と、下側ケース１０の収容部１１０の開口側を覆う天板２００を含む上側ケース２０と、を備え、下側ケース１０は、開口側において、天板２００を支持する板部１００を含み、上側ケース２０は、下側ケース１０の第二側壁部１３０に対向し、第二側壁部１３０に固定される固定凸部２３２が設けられている固定面部２３１を含み、上側ケース２０は、下側ケース１０の第二側壁部１３０に交差する一方向に沿ってスライド可能に設けられたことを特徴とする。【選択図】図１
2013230829.tif 000002
【特許請求の範囲】
【請求項１】
光学素子を収容する収容部が設けられている下側ケースと、
前記下側ケースの前記収容部の開口側を覆う天板を含む上側ケースと、
を備え、
前記下側ケースは、前記開口側において、前記天板を支持する支持面部を含み、
前記上側ケースは、前記下側ケースの支持面部と交差した側壁に対向し、前記側壁に固定される固定部が設けられている側面部を含み、
前記上側ケースは、前記下側ケースの前記側壁に交差する一方向に沿ってスライド可能である
ことを特徴とする収納容器。
【請求項２】
請求項１において、
前記固定部は、凸状部および凹状部のいずれか一方である
ことを特徴とする収納容器。
【請求項３】
請求項１または請求項２において、
前記天板には、前記固定部と空間的に接続される側面受け部が設けられている
ことを特徴とする収納容器。
【請求項４】
請求項１から請求項３のいずれか一項において、
前記下側ケースの前記側壁と交差する他の側壁には、前記上側ケースを前記一方向に沿って案内する案内溝が設けられている
ことを特徴とする収納容器。
【発明の詳細な説明】
【技術分野】
【０００１】
本発明は、収納容器に関する。
【背景技術】
【０００２】
光学ローパスフィルタや位相差板、等の光学素子は、特に光学的情報を含む光線の入射面に、ゴミ、ホコリ等が付着しないように配慮することが求められている。
光学素子の搬送においては、製造直後の清浄な光学素子と外部環境との接触を防ぐために、クリーンルーム内で光学素子を収納容器に収納し梱包する。従来、光学素子用の収納容器としては、前面に鉛直方向上向き、かつ収納する光学素子よりも突出した前面カバーを備えるＬ字型の下側ケースを、上側ケースで覆った収納容器が知られている（特許文献１参照）。特許文献１に記載された収納容器は、上側ケースを下側ケースに対し、前面カバーが設けられた方向と反対方向にスライドすることにより、開放可能である。このような収納容器は、収納容器を一度に開放することなく、必要な分だけ上側ケースをスライドして開放することができるので、収納された光学素子が作業空間内に長時間暴露され、汚染されることを防ぐことができる。
さらに、光学素子の搭載装置の高密度化や高品位化等から、より清浄な状態での光学素子の納入が求められている。これに応えるべく、収納容器内の大気に含まれる水分の影響をも軽減するために減圧梱包が行われる。減圧梱包とは、収納容器をプラスチック製等の袋に入れ、その後収納容器及び袋の内部の大気を排除し、減圧の状態に至ったところで袋の開口部を密封することである。
【先行技術文献】
【特許文献】
【０００３】
【特許文献１】実開平６−１２３８９号公報
【発明の概要】
【発明が解決しようとする課題】
【０００４】
しかしながら、特許文献１に記載の収納容器では、光学素子よりも突出した前面カバーが前記下側ケースの一方の端部である前面に設けられているだけである。したがって、収納容器が硬質材料もしくは金属により成形したものでない場合、真空梱包すると上側カバーは、前面カバーのない部分において変形する。そして、変形により、収納した光学素子が上側カバーに押圧され、変形あるいは破損するおそれがある。一方、この収納容器を硬質材料や金属で成形する場合、使い捨てにするにはコストが高くなるという問題がある。
【０００５】
そこで本発明の目的は、安価であり、製品取り出し時の汚染を防止するとともに、真空雰囲気においても製品を破損することなく収納可能な収納容器を提供することにある。
【課題を解決するための手段】
【０００６】
［適用例１］
本適用例に係る収納容器は、光学素子を収容する収容部が設けられている下側ケースと、前記下側ケースの前記収容部の開口側を覆う天板を含む上側ケースと、を備え、前記下側ケースは、前記開口側において、前記天板を支持する支持面部を含み、前記上側ケースは、前記下側ケースの支持面部と交差した側壁に対向し、前記側壁に固定される固定部が設けられている側面部を含み、前記上側ケースは、前記下側ケースの前記側壁に交差する一方向に沿ってスライド可能であることを特徴とする。
【０００７】
この構成によれば、下側ケースが天板を支持する支持面部を含んでいるので、天板を支持面部が支持し、上側ケースが収容部に収容された製品に接触することがない。例えば真空梱包した場合であっても、支持面部が天板を支持するので、製品が天板に押圧されて変形したり、破損したりすることを防ぐことができる。また、支持面部を設けるだけなので、収納容器を硬質材料や金属で成形する必要がなく、例えば、熱可塑性樹脂を射出成形法等により成形することにより、安価に製造できる。また、上側ケースの側面部が下側ケースの側壁に固定される固定部が設けられているので、上側ケースを下側ケースに固定することができ、収納容器が簡単に開放されてしまい、収容された製品が汚染されることを防ぐことができる。さらに、上側ケースが下側ケースの側壁に交差する一方向に沿ってスライド可能であるので、収容された製品を取り出す際には、側壁と側面部との固定を解除して、必要なだけ上側ケースをスライドすればよく、取り出す必要のない製品が作業空間中に長時間暴露されて、ゴミが付着するなど、汚染されることを防止することができる。
【０００８】
［適用例２］
本適用例に係る収納容器は、前記固定部は、凸状部および凹状部のいずれか一方であることを特徴とする。
【０００９】
この構成によれば、固定部が凸状部および凹状部のいずれかであるから、この固定部が固定される側壁部には、固定部に対応する凹状部および凸状部のいずれかを設ければよく、上側ケースと下側ケースを簡単な構成で固定することができる。
【００１０】
［適用例３］
本適用例に係る収納容器は、前記天板には、前記固定部と空間的に接続される側面受け部が設けられていることを特徴とする。
【００１１】
この構成によれば、天板に固定部と空間的に接続される側面受け部が設けられているので、固定部を天板の側面受け部に接続すれば、側面部が天板上に接続され、上側ケースをスライドする際に、側面部がスライドの妨げになることがない。したがって、上側ケースを容易にスライドでき、収容されている製品の取り出しをスムーズに行うことができる。
【００１２】
［適用例４］
本適用例に係る収納容器は、前記下側ケースの前記側壁と交差する他の側壁には、前記上側ケースを前記一方向に沿って案内する案内溝が設けられていることを特徴とする。
【００１３】
この構成によれば、下側ケースの前記側壁と交差する他の側壁に上側ケースを一方向に沿って案内する案内溝が設けられているので、上側ケースを容易にスライドすることが可能になるとともに、下側ケースと上側ケースが乖離してしまい、開放する必要のない収容部まで開放されて、収容されている製品が作業空間中に暴露されて、ゴミが付着するなど、汚染されることを防止することができる。
【図面の簡単な説明】
【００１４】
【図１】本発明の実施形態に係る収納容器の分解斜視図。
【図２】図１のII-II断面図。
【図３】図１のIII-III断面図。
【図４】図１の収納容器の一部を拡大した図。
【図５】図１の収納容器の組立方法を説明した図。
【図６】図１の収納容器の開放手順を説明した図。
【発明を実施するための形態】
【００１５】
次に本発明の実施形態を図面に基づいて説明する。
図１は本発明の実施形態に係る収納容器１の分解斜視図である。図２は、図１のII-II断面図であり、図３は図１のIII-III断面図である。図４は、収納容器１の一部を拡大した図である。
【００１６】
図１において、収納容器１は、薄いシート状のポリエチレンテレフタレートやポリスチレン等のプラスチックから成形される容器であり、光学素子Ｄを収容する下側ケース１０と、下側ケース１０を覆う上側ケース２０とを備える。収納容器１の製造方法としては、射出成形法や加圧成形法等を用いることができる。
光学素子Ｄは、板状であり、収納容器１に複数収納される。
【００１７】
下側ケース１０は、支持面部としての板部１００と、板部１００に設けられた複数の収容部１１０と、板部１００の長手方向のそれぞれの側縁から直交する方向に向かう一対の第一側壁部１２０と、板部１００の短手方向の一方の側縁から直交する方向に向かうとともに、第一側壁部１２０と直交する側壁としての第二側壁部１３０と、板部１００の短手方向の他方の側縁から直交する方向に向かうとともに、第一側壁部１２０と直交する第三側壁部１４０とを備える。
板部１００は、第二側壁部１３０側に先端部１０２を備え、板部１００の長手方向に沿って延びる溝１０１を備えている。この溝１０１は、第三側壁部１４０に連通している。
収容部１１０は、図２および図３にも示すように、板部１００に設けられた開口面１１１と、この開口面１１１に対向する底面部１１２と、開口面１１１と底面部１１２との間に設けられた側面部１１３とを備え、板部１００から下方に突出した凹溝状である。そして、収容部１１０は、その開口面１１１が板部１００に設けられた溝１０１の両側に一列ずつ、溝１０１に沿って一定の間隔で設けられている。収容部１１０は、光学素子Ｄよりもやや大きく設けられており、開口面１１１は光学素子Ｄよりも大きな形状で、収容および取り出しが容易に設けられている。また、光学素子Ｄは、開口面１１１から露出することはなく、上側ケース２０に接触することはない。
【００１８】
第一側壁部１２０は、第二側壁部１３０側から長手方向に沿って延びる案内溝１２１を備えている。この案内溝１２１は、溝１０１に平行であり、溝１０１同様に第三側壁部１４０に連通している。
第二側壁部１３０は、板部１００と反対側に向かって突出して設けられた凸受け部１３１と、板部１００側に向かって凹んで設けられた凹受け部１３２とを備えている。
第三側壁部１４０は、図示は省略するが、第二側壁部１３０と同様の凸受け部１３１と、凹受け部１３２とを備える。さらに第三側壁部１４０は、溝１０１が連通する切欠１４１と案内溝１２１が連通する切欠１４２とを備えている。
【００１９】
上側ケース２０は、下側ケース１０を覆う蓋であって、下側ケース１０の板部１００に載置され、板部１００を覆う天板２００と、天板２００の長手方向のそれぞれの側縁から直交する方向に向かう一対のスライド側面部２２０と、天板２００の短手方向のそれぞれの側縁から直交する方向に向かうとともに、スライド側面部２２０に直交する一対の固定側面部２３０とを備える。
【００２０】
天板２００は、板部１００と同形状であり、板部１００に対向して支持され、収容部１１０の開口側を覆う。天板２００は、下側ケース１０の溝１０１の先端部１０２に対向する位置に、溝１０１に嵌合する側面受け部２０１を備えている。この側面受け部２０１は、天板２００の長手方向の両側に対称に設けられており、天板２００の向きを１８０°回転しても溝１０１に側面受け部２０１が嵌合するようになっている。
【００２１】
スライド側面部２２０は、第一側壁部１２０に設けられた案内溝１２１に向かって突出し、案内溝１２１に嵌合するスライド２２１を備えている。
【００２２】
固定側面部２３０は、下側ケース１０の第二側壁部１３０または第三側壁部１４０に対向する側面部としての固定面部２３１と、スライド側面部２２０に連続して設けられ、固定面部２３１に向かって折り込まれた折込部２３４とを備えている。固定面部２３１は、下側ケース１０の凸受け部１３１に固定可能であるとともに、固定面部２３１が天板２００に向かって２７０°折り返された際に、側面受け部２０１に空間的に接続可能な凸状の固定凸部２３２と、下側ケース１０の凹受け部１３２に固定可能な固定凹部２３３とを備えている。
折込部２３４は、固定凹部２３３に固定可能な折込凹部２３５を備えている。
【００２３】
そして、凸受け部１３１と固定凸部２３２、凹受け部１３２と固定凹部２３３とはそれぞれ固定可能であり、それぞれの凹凸を固定することにより、上側ケース２０が下側ケース１０に固定される。
ここで、収納容器１は、上側ケース２０の固定側面部２３０を開放し、上側ケース２０を下側ケース１０に対してスライドすることで、光学素子を取り出し可能とする容器である。図３に示すように、固定凸部２３２は、固定面部２３１を天板２００に向かって２７０°折り返すことで、天板２００に備えられた側面受け部２０１に空間的に接続可能に設けられている。側面受け部２０１は、溝１０１に嵌合して設けられているので、固定面部２３１を天板２００に空間的に接続した状態で、上側ケース２０を下側ケース１０に対してスライドすることができる。すなわち、収納容器１から光学素子を取り出す際には、固定面部２３１を天板２００上に接続して上側ケース２０をスライドできるので、固定面部２３１が邪魔になることがなく、容易にスライドでき、光学素子を容易に取り出すことができる。
【００２４】
また、図４に示すように、凹受け部１３２には、固定凹部２３３が固定され、固定面部２３１が下側ケース１０に固定される。そして、固定凹部２３３には、折込凹部２３５が固定され、折込部２３４を介して、固定面部２３１とスライド側面部２２０が互いに固定される。これにより、上側ケース２０が下側ケース１０に確実に固定されるとともに、上側ケース２０の強度が増強される。
【００２５】
次に、収納容器１の組立方法について説明する。
上側ケース２０は、射出成形等により、図５（Ａ）に示すように板状に製造される。収納容器１は、板状の上側ケース２０を折り曲げ、下側ケース１０に固定して組み立てられる。
まず、上側ケース２０を図５（Ａ）に示す状態で、上側ケース２０の天板２００を図示しない下側ケース１０の板部１００に載置する。次いで、図５（Ｂ）に示すように、上側ケース２０の固定面部２３１を折り曲げ、図示しない第二側壁部１３０および第三側壁部１４０の凸受け部１３１と固定凸部２３２、図示しない第二側壁部１３０および第三側壁部１４０の凹受け部１３２と固定凹部２３３とをそれぞれ固定する。そして、図５（Ｃ）に示すように、スライド側面部２２０を折り曲げ、図示しないスライド２２１を第一側壁部１２０の案内溝１２１に嵌合する。さらに、図５（Ｄ）に示すように、折込部２３４をそれぞれ固定面部２３１に向かって折り込み、固定凹部２３３に折込凹部２３５を固定することで、収納容器１が完成する。
【００２６】
次に収納容器１の開放手順について説明する。
図６（Ａ）に示す収納容器１を開放するには、図６（Ｂ）に示すように、固定凹部２３３から折込凹部２３５の固定を解除し、折込部２３４を固定面部２３１と反対方向に開く。ついで、図６（Ｃ）に示すように、下側ケース１０の凸受け部１３１および凹受け部１３２から固定面部２３１の固定凸部２３２および固定凹部２３３の固定を解除し、固定面部２３１を天板２００に向かって折り曲げ、固定凸部２３２を天板に設けられた側面受け部２０１に接続する。ついで、図６（Ｄ）に示すように、上側ケース２０を下側ケース１０に対してスライドさせることで、収容部１１０を開放することができる。
【００２７】
なお、光学素子Ｄは、収納容器１の組立後、上記開放手順に従って収納容器１を開放し、収容部１１０に１つずつ収納する。
このように、収納容器１では、上側ケース２０を下側ケース１０に対してスライドできるので、収容部１１０を必要に応じて徐々に開放することができる。また、上側ケース２０は双方向にスライド可能であるので、一旦開放しても、再び上側ケース２０を戻せば、収納容器１を閉めることができる。
【００２８】
したがって、本実施形態では、次の作用効果を奏することができる。
【００２９】
（１）下側ケース１０の板部１００が上側ケース２０天板２００を支持するので、上側ケース２０が収容部１１０に収容された光学素子Ｄに接触することがない。したがって、収納容器１を真空にした場合であっても、光学素子Ｄが天板２００に押圧されて変形したり、破損したりすることを防ぐことができる。
（２）収納容器１は、シート状のポリエチレンテレフタレートやポリスチレン等のプラスチックを用い、射出成形法等により、板部１００を設けて成形したので、収納容器１を硬質材料や金属で成形する必要がなく、安価に製造できる。
（３）上側ケース２０の固定側面部２３０が下側ケース１０の第二側壁部１３０および第三側壁部１４０に固定される固定凸部２３２を備えるので、上側ケース２０を下側ケース１０に固定することができ、収納容器１が簡単に開放されて、収容された光学素子Ｄが汚染されることを防ぐことができる。
（４）上側ケース２０が下側ケース１０に対してスライド可能に設けられているので、収容された光学素子Ｄを取り出す際には、必要なだけ上側ケース２０をスライドすればよく、光学素子Ｄが作業空間中に長時間暴露されて、ゴミが付着するなど、汚染されることを防止することができる。
【００３０】
（５）固定凸部２３２を凸状に設けたので、この固定凸部２３２が固定される第二側壁部１３０および第三側壁部１４０には、固定凸部２３２に対応する凸状の凸受け部１３１を設ければよく、上側ケース２０と下側ケース１０とを簡単な構成で固定することができる。
（６）天板２００に固定凸部２３２を空間的に接続する側面受け部２０１を設けたので、上側ケース２０をスライドする際、固定凸部２３２を天板２００の側面受け部２０１に接続すれば、固定面部２３１が天板２００上に接続され、固定面部２３１がスライドの妨げになることがない。したがって、上側ケース２０を容易にスライドでき、収容されている光学素子Ｄの取り出しがスムーズになる。
（７）下側ケース１０に上側ケース２０を一方向に沿って案内する案内溝１２１が設けられているので、上側ケース２０を容易にスライドすることが可能になる。また、下側ケース１０と上側ケース２０が乖離してしまい、開放の必要のない収容部１１０まで開放されて、収容されている光学素子Ｄが作業空間中に暴露されて、ゴミが付着するなど、汚染されることを防止することができる。
（８）上側ケース２０の側面受け部２０１および固定側面部２３０を天板２００の長手方向において対称に設けたので、上側ケース２０で下側ケース１０を覆う際に、上側ケース２０の向きを調整する必要がない。
【００３１】
なお、本発明は、上述した実施形態に限定されるものではなく、本発明の目的を達成できる範囲で以下に示される変形をも含むものである。
例えば、上述した実施形態では、側面受け部２０１を天板２００の長手方向において対称に設けたが、側面受け部２０１を１つにしてもよい。また、図１に示すようにスライド２２１をスライド側面部２２０の長手方向に沿って長尺状に設けたが、スライド２２１は、案内溝１２１に嵌合できる形状であれば、長尺状でなくてもよい。
そして、側面受け部２０１を１つだけ設けた場合には、溝１０１は第三側壁部１４０まで連通していなくてもよい。さらに、スライド２２１を長尺状でない突起状に設けた場合には、案内溝１２１は、第三側壁部１４０まで連通していなくてもよい。溝１０１または案内溝１２１が第三側壁部１４０まで連通していない場合、上側ケース２０は、スライドさせても、溝１０１または案内溝１２１のスライド方向の末端部で引っかかるため、下側ケース１０から抜け落ちることがない。
また、収納容器１は、シート状のポリエチレンテレフタレートやポリスチレン等のプラスチックを成形した容器としたが、鉄系合金、銅系合金、アルミニウム系合金等の金属をプレス法等を用いて製造してもよい。
【符号の説明】
【００３２】
１…収納容器、１０…下側ケース、２０…上側ケース、１００…板部（支持面部）、１１０…収容部、１１１…開口面、１２１…案内溝、１３０…第二側壁部（側壁）、２００…天板、２０１…側面受け部、２３１…固定面部（側面部）、２３２…固定凸部（固定部）
【図１】
2013230829.tif 000003
【図２】
2013230829.tif 000004
【図３】
2013230829.tif 000005
【図４】
2013230829.tif 000006
【図５】
2013230829.tif 000007
【図６】
2013230829.tif 000008